(57)【特許請求の範囲】
【請求項１】
液体透過性の頂部シートと、液体不透過性のバックシートとを備える外枠を有する吸収パッドであって、前記吸収パッドが、その長手方向中心線および横方向中心線に沿って幾何学的に対称であり、前記吸収パッドが、ユーザのウエストの周りに配置されるように適合された別個のベルトに前記パッドを解放可能に装着することができる装着機構を備え、前記装着機構が、その長手方向中心線および横方向中心線に沿って幾何学的に対称に配置される吸収パッドにおいて、
前記吸収パッドがさらに、前記頂部シートと前記バックシートの間に介在する吸収コアを備え、前記吸収コアもまた、前記パッドの前記長手方向中心線および横方向中心線に沿って幾何学的に対称であり、前記吸収コアが、その長手方向の長さに沿って第1の長手方向の半分の部分と、第2の長手方向の半分の部分とに分割され、
前記吸収コアが、前記コアが湿るまでは、前記横方向中心線から前記横方向中心線に直交するように測定される同一距離上でほぼ同一の厚さを有し、
前記第1の長手方向の半分の部分が、前記第2の長手方向の半分の部分より高い吸収力を有し、
前記吸収コアが、超吸収ポリマー材を備え、
前記第1の長手方向の半分の部分が、前記第2の長手方向の半分の部分とは異なる量の超吸収ポリマー材を含有し、これにより2つの前記長手方向の半分の部分に異なる吸収力が示される、ことを特徴とする吸収パッド。
【請求項２】
前記コアの前記第1の長手方向の半分の部分と前記第2の長手方向の半分の部分の前記吸収力の比率が、80:20である、請求項1に記載の吸収パッド。
【請求項３】
前記コアの前記第1の長手方向の半分の部分と前記第2の長手方向の半分の部分の前記吸収力の比率が、60:40である、請求項1に記載の吸収パッド。
【請求項４】
前記コアの前記第1の長手方向の半分の部分と前記第2の長手方向の半分の部分の前記吸収力の比率が、55:45である、請求項1に記載の吸収パッド。
【請求項５】
前記横方向中心線から等しい垂直距離上に測定した前記吸収コアの寸法の差が、最大で5%である、請求項1から4のいずれか一項に記載の吸収パッド。
【請求項６】
装着機構は、前記パッドの、使用される際に着用者に面することが意図された側に設けられると共に、前記ベルトのうちの前記着用者から離れる方向に向いた側の上で、前記ベルトに解放可能に装着されることが意図されている、請求項1から5のいずれか一項に記載の吸収パッド。
【請求項７】
前記装着機構が、(i)ベルト上に設けられたループ要素に装着されることが意図された前記パッドの長手方向の端部の各々の角に設けられるフック要素、または(ii)ベルト上に設けられたフック要素に装着されることが意図された前記パッドの長手方向の端部の各々の角に設けられるループ要素を備える、請求項1から6のいずれか一項に記載の吸収パッド。
【請求項８】
前記装着機構が、ベルト上に設けられたランディングゾーンに装着されることが意図された前記パッドの長手方向の端部の各々の角に設けられる接着要素を備える、請求項1から6のいずれか一項に記載の吸収パッド。
【請求項９】
前記装着機構が、前記パッドのウエスト部分の各々から外向きに延出するタブ上に設けられる、請求項1から6のいずれか一項に記載の吸収パッド。
【請求項１０】
より高い吸収力を備える前記パッドの前記長手方向の半分の部分が、指示手段を備える、請求項1から9のいずれか一項に記載の吸収パッド。
【請求項１１】
より低い吸収力を備える前記パッドの前記長手方向の半分の部分が、指示手段を備える、請求項1から9のいずれか一項に記載の吸収パッド。
【請求項１２】
前記指示手段が、視覚的指示手段または触覚的指示手段である、請求項10または11に記載の吸収パッド。
【請求項１３】
吸収パッドと、前記パッドが解放可能に装着される別個のベルトとを備える吸収製品であって、前記吸収パッドが、請求項1から12のいずれか一項に記載の吸収パッドであることを特徴とする吸収製品。
【発明の詳細な説明】
【技術分野】
【０００１】
本発明は、吸収パッドおよび当該吸収パッドを備える吸収製品に関し、詳細には、非対称の吸収力を備えた対称的な吸収パッドと、当該吸収パッドに解放可能に装着された別個のベルトとを含む吸収製品に関する。
【背景技術】
【０００２】
おむつ、パンツ式おむつ、ナプキンまたは失禁防止製品の形態の吸収製品は一般に、血液、尿、汗および糞便などの身体の滲出物を吸収することを目的として赤ん坊または失禁してしまう大人に使用されることが知られている。一部のケースでは、吸収製品は、着用者のウエストの周りに配置されるベルトを備えることで、この製品を着脱し易くする。詳細には、このベルトは、吸収パッドに解放可能に装着された別個のベルトの形態で設計されており、これは例えば、国際特許第99/21522号、国際特許第94/26224号、国際特許第94/26222号、国際特許第94/26225号および米国特許第4964860号に開示されている。
【０００３】
上記のベルトに装着された種々の吸収パッドにおいて、異なる吸収力を備えたパッドが異なる用途で、または異なる人に使用される。同一人物でも、パッドが、パッドの異なる部分において異なる吸収力を有することを認識することができる。異なる吸収力を備える領域を呈する種々の吸収製品が開発されてきた。
【０００４】
米国特許第5156902号は、より大きな比率のSAM(超吸収ポリマー材)を吸収体の少なくとも1つの長手方向の端部に向かって集中させることができる吸収製品を開示している。それはまた、SAMの50〜90重量パーセントが、吸収体の前半分に位置するように規定されている。この製品は、1つの向きで使用されるように制限される。
【０００５】
米国特許第4673402号は、コアが、最大8重量パーセントのヒドロゲル材を備えた上部の流体取得/分散層と、9〜60重量パーセントのヒドロゲル材を備えた下部の流体貯蔵層とを備える積層吸収製品を開示している。下部層の75重量パーセントのヒドロゲル材は、この吸収製品の前方2/3の部分に位置している。コアはよって、厚さが非対称であり、これは使用するための向きが制限されることを意味する。
【０００６】
米国特許第4381782号は、おむつなどの吸収性の繊維構造体を開示している。吸収コアは、折り畳まれる前は、長手方向および横方向の両方においてほぼ対称である。コアは、切断され折りたたまれて所望の非対称の形状になり、これにより、より高い吸収力を呈するより厚みのある前方部分と、より低い吸収力を呈するより薄い後方部分が形成される。
【０００７】
上記の文献から、開示される製品は、長手方向に沿って異なる吸収力を備える、すなわち製品の端部のいずれかに向かって吸収力が高くなることが分かる。しかしながらこのような製品は恐らく、目的とするやり方で使用される際、前方または後方のいずれかの1つの向きのみで着用者に取り付けなければならない。
【０００８】
スウェーデン特許第9702159号は、その2つの半分の部分において異なる吸収力を備える対称的な製品を開示するが、これは非対称な吸収コアを備え、その端部の一方において幅が広くなっている。その記載の中で、その先細の外形によって、この製品の2つの端部は、異なる吸収力を有することが述べられている。また月経がある女性の場合、夜間には製品の後方端部において、日中は前方端部において、より高い吸収力が必要であること、ならびにこの製品はこのような場合の両方に使用することができることも言及されている。しかしながらこのような非対称の吸収コアによって、製品の快適さは低下する。
【０００９】
米国特許第5135522号は、多層式の吸収構造体を備えるベルト製品を開示している。男児が、前方に向かってその先に排尿する傾向があり、女児は、クロッチ部分の中央により多く排尿することを開示している。下部層の配置は、実際の標的区域に最適に一致するように選択することができることをさらに開示している。
【００１０】
米国特許第5135522号は、2つの半分の部分において異なる吸収力を備えた製品を開示しており、但しこれは前方または後方に面するその端部のいずれかによって着用者に対して配向させることができる。しかしながらその半分の部分の一方におけるより高い吸収力は、その半分の部分に第2の吸収コア74が存在することによって得られ、すなわち、異なる吸収力は、コアの2つの長手方向の半分の部分の異なる厚さによって得られる。米国特許第5135522号の記載には、「別個の綿撒糸74の使用および配置が、所与のユーザの吸収力のニーズに合致し、ヒドロゲルを含有する別個の綿撒糸74の配置は、おむつ10の前方の半分の部分におけるコア18の吸収力をより効果的に利用する」ことを述べている。
【００１１】
このような厚さが非対称の吸収コアに関する1つの問題は、特にその端部の一方によって一方向に配向される場合、例えばそのより厚みのある半分の部分が後ろ方向に配向される場合、このより厚みのある半分の部分によって、製品の快適さが低下することである。
【００１２】
別の問題は、この製品が、その端部の一方が一方向(そのより厚みのある半分の部分が後ろ方向)に配向される場合、目立ち易くなり過ぎることである。
【先行技術文献】
【特許文献】
【００１３】
【特許文献１】国際特許第99/21522号
【特許文献２】国際特許第94/26224号
【特許文献３】国際特許第94/26222号
【特許文献４】国際特許第94/26225号
【特許文献５】米国特許第4964860号
【特許文献６】米国特許第5156902号
【特許文献７】米国特許第4673402号
【特許文献８】米国特許第4381782号
【特許文献９】スウェーデン特許第9702159号
【特許文献１０】米国特許第5135522号
【発明の概要】
【発明が解決しようとする課題】
【００１４】
上記の欠点を鑑みて、本発明の目的は、意図された目的で着用者に付けられた場合、吸収製品の向きが制限されないが、但し異なる部分において異なる吸収力を備えることで、特有の使用要件を満たす幾何学的に対称な吸収製品を提供することである。すなわちこの製品は、幾何学的な観点から言えば、長手方向および横方向に対称であるべきであり、またそのコアが湿るまでは、横方向の中心線(横方向の中心線に直交するように測定された)から同一距離上で同一の厚さを有し、但しその長手方向の半分の部分の一方がより高い吸収力を備えることで、ユーザの特有のニーズに応じてその2つの半分の部分のいずれかが前方向または後ろ方向のいずれかになるように、別個のベルトを介してこの製品をユーザに装着させることができる。
【課題を解決するための手段】
【００１５】
前記目的を達成するために、本発明は、液体透過性の頂部シートと、液体不透過性のバックシートとを備える外枠を有する吸収パッドを提供し、この場合吸収パッドは、その長手方向および横方向の中心線に沿って幾何学的に対称であり、吸収パッドは、ユーザのウエストの周りに配置されるように適合された別個のベルトにパッドを解放可能に装着することができる装着機構(固定手段)を備え、吸収パッドはさらに、頂部シートとバックシートの間に介在する吸収コアを備え、この吸収コアもまた、パッドの長手方向および横方向の中心線に沿って幾何学的に対称であり、吸収コアは、その長手方向の長さに沿って第1の長手方向の半分の部分と第2の長手方向の半分の部分に分割され、吸収コアは、そのコアが湿るまでは(すなわち乾いた状態)横方向の中心線に直交するように測定された横方向の中心線から同一距離上でほぼ同一の厚さを有し、第1の長手方向の半分の部分は、第2の長手方向の半分の部分より高い吸収力を有する。
【００１６】
本発明の特有の実施形態では、吸収コアの第1の長手方向の半分の部分と第2の長手方向の半分の部分の吸収力の比率は、80:20であり、詳細には60:40であり、より詳細には55:45である。本発明のさらなる特有の実施形態では、吸収コアの第1の長手方向の半分の部分と第2の長手方向の半分の部分の吸収力の比率は、75:25、70:30または65:35である。
【００１７】
本発明による吸収パッドにおいて、吸収コアは、超吸収ポリマー材を備えており、これはまたSAPとも呼ばれる。特有の実施形態では、第1の長手方向の半分の部分は、第2の長手方向の半分の部分と異なる量のSAPを含有しており、これにより2つの長手方向の半分の部分が異なる吸収力を呈することになる。以下にさらに説明するように、横方向の中心線から均等な垂直の距離上で測定した吸収コアの寸法の差は、最大で5%である。前記寸法が5%まで異なる吸収コアもなお、幾何学的に対称とみなされる。パッドの前記寸法もまた、5%まで異なる可能性があり、これもなお、幾何学的に対称とみなされてよい。
【００１８】
特有の実施形態において、装着機構は、パッドの着用者に面する側に設けられ、ベルトの着用者から離れる方向を向いた側に装着されるように意図されている。
【００１９】
詳細には、装着機構は、ベルトに設けられたループ要素に装着されることが意図されたパッドの長手方向端部の各々の角に設けられたフック要素を備える。あるいは、装着機構は、ベルトに設けられたフック要素に装着されることが意図されたパッドの長手方向端部の各々の角に設けられたループ要素を備える場合もある。任意選択でフック要素は、それ自体が不織布で形成されたベルトに装着される場合もある(すなわちこのとき、ベルト自体がループ要素を提供する)。
【００２０】
代替として、装着機構は、ベルトに設けられたランディングゾーンに装着されることが意図されたパッドの長手方向端部の各々の角に設けられたフ接着要素を備える。
【００２１】
代替の一実施形態において、装着機構は、パッドのウエスト部分の各々から外向きに延出するタブ上に設けられる。
【００２２】
吸収力の高い半分の部分をコアの吸収力がより低い半分の部分から区別するために、より高い吸収力を備えるパッドの長手方向の半分の部分は、着用者が所望のやり方でパッドを使用することを可能にする(すなわち、使用する際より高い吸収力を備える半分の部分が、製品の後方端部または前方端部のいずれかにあるようにパッドを配置する)指示手段を備える場合がある。
【００２３】
代替として、より低い吸収力を備えるパッドの長手方向の半分の部分が指示手段を備える場合もある。
【００２４】
この指示手段は、盲目の人を含めた全てのタイプの人に適した視覚的指示手段または触覚的指示手段を備えることができる。
【００２５】
本発明はまた、上記に記載した前記吸収パッドと、前記パッドが解放可能に装着される別個のベルトとを備えた吸収製品を提供する。
【００２６】
上記に記載する本発明による製品のパッドおよびコアは、長手方向および横方向の両方で対称であり、特にコアの厚さが、横方向の中心線から同一距離上(横方向の中心線に直交するように測定される)で同一であるため、ユーザの特有のニーズに応じてその2つの半分の部分のいずれかが前方向または後ろ方向のいずれかになるように、別個のベルトを介してパッドを着用者に装着させることができる。端部が前方向または後ろ方向のいずれに配置された場合でも、2つの半分の部分の外形に気付かない程の違いしかないため、この製品は使用中着用者にとって快適である。
【００２７】
本発明は次に、特定の非制限的な実施形態を参照して、および添付の図面を参照してより詳細に説明される。
【図面の簡単な説明】
【００２８】
【図１】本発明の一実施形態による別個のベルトに装着された吸収パッドを備えた吸収製品を示す平面図である。
【図２Ａ】図1に示される本発明の吸収パッドを示す平面図である。
【図２Ｂ】別個のベルトに装着されることが意図された本発明の別の実施形態による吸収パッドを示す平面図である。
【図３】本発明の吸収パッドに装着されることが意図された別個のベルトを示す斜視図である。
【発明を実施するための形態】
【００２９】
本発明の実施形態を図面を参照して以下に記載する。図1は、吸収パッド2と、別個のベルト3で構成された吸収製品1を示している。ベルト3は、この製品が着用者に着用される際、ベルト3のほぼ中央部分において吸収パッド2の2つの長手方向の端部4、5に解放可能に装着される切れ目のないベルト3である。
【００３０】
図3に示されるように、ベルト3の一端には、面ファスナー式(hook and loop type)の固定手段のフック要素の可撓性のストリップ6が設けられており、これは、ベルト3の外側の面8、または面8上に配置されたループ材のいずれかに留めることができる。ベルト3は、その間にストリップ6が装着される2つの横方向に離間した縁部9および10を備える矩形形状を有するように細長くなっているが、他の形状も考えられる。
【００３１】
詳細には、ベルト3の片側または両側のいずれかに不織布材が使用されてよく、前記不織布材は、ストリップ6のフック要素を解放可能に装着することができるタイプのものである。
【００３２】
図2Aは、吸収製品1の吸収パッド2を示す。パッド2の各々の角には、ストリップ6'または6"がある。図2Aは、4つのストリップを示しており、2つのストリップ6'は端部4に配置され、他の2つのストリップ6"は他端5に配置される。これらのストリップ6'、6"は、ベルト3の面8または18のいずれかに解放可能に装着されるように使用される。詳細には、これらのストリップ6'、6"は、ベルト3のストリップ6、例えばフック要素と同一の材料で形成される。
【００３３】
図2Bは、吸収パッド2の別の代替の実施形態を示している。パッド2のウエスト部分の各々は、2つのタブ13を備えており、ウエスト部分の各々の縁部から横方向に外向きに1つのタブが延出している。タブの各々の着用者に面する側にストリップ6'または6"が設けられる。これらのストリップ6'、6"は、ベルト3のストリップ6、例えばフック要素と同一の材料で形成される。これらのストリップ6'、6"は、ベルトの外側の面8に解放可能に装着されるように使用される。あるいは、ストリップ6'、6は、タブ13の反対側に設けられる。この場合、ストリップ6'、6"は、ベルトの着用者に面する側18に解放可能に装着されるように使用される。
【００３４】
図2Aおよび図2Bから最適に見ることができるように、パッド2は、幾何学的に対称的な構造体であり、これは長手方向の中心線Y-Yおよび横方向の中心線X-Xの両方に沿って対称であるため、パッドを2つの長手方向の半分の部分に分割しており、この部分はまた、第1の長手方向の半分の部分および第2の長手方向の半分の部分と呼ばれる。
【００３５】
図2Aおよび図2Bに示される吸収パッドは、液体透過性の頂部シートと、液体不透過性のバックシートと、それらの間に位置する吸収コア14とを有する外枠を備える。
【００３６】
吸収パッドの頂部シートは、パッドを使用する際、着用者の体に接触するように置かれる層である。したがって、それは皮膚に対して柔軟であり、刺激がなく、快適である必要があり、体液が支障なくそれを通過することができる必要がある。頂部シートは、例えばスパンボンド法、メルトブロー法、カーディング方式、水流絡合法、湿式法などの不織布材で構成することができる。好適な不織布材は、木材パルプまたは綿繊維などの天然繊維、ポリエステル、ポリエチレン、ポリプロピレン、ビスコースなどの人工繊維、あるいは天然繊維と人工繊維の混合体で構成されてよい。頂部シートはさらに、2つの繊維で構成される場合もあり、これらは、ある接着パターンで互いに接着されてよい。頂部シートに適した材料のさらなる例は、多孔性発泡体、穴のあいたプラスチックフィルムなどである。
【００３７】
吸収パッドのバックシートは、パッドが使用される際、着用者の体から最も遠くに置かれる層である。着用者の衣服が汚れるのを防ぐために、それは液体不透過性であるが、望ましくは気体透過性(すなわち通気性がある)であることにより、この製品から空気および蒸気が出入りすることが可能になり、その結果、パッド内で生じる可能性のある温かく湿った状況が緩和される。典型的には、バックシートは、液体を透さない材料であり、例えばポリエチレンまたはポリプロピレンフィルム、液体を透さない材料でコーティングされた不織布材、液体の浸透に耐える疎水性の不織布材、プラスチックフィルムを備える積層物および不織布材などの薄いプラスチックフィルムなどである。通気性があるバックシート材料の例は、多孔性のポリマーフィルム、スパンボンド法およびメルトブロー法の層からの不織布積層物、多孔性のポリマーフィルムと不織布からの積層物である。
【００３８】
吸収パッドの吸収コア14は、液体および他の体の浸出液を受け止め、封じ込めるように作用する。したがって、それは典型的には、吸収剤を備える。一般的に思い付く吸収材の例は、セルロース性のフラフパルプ、組織層、高吸収ポリマー材(いわゆる超吸収材、SAP)、吸収発泡体材、吸収不織布材などである。セルロース性のフラフパルプを吸収体の中で超吸収物質と組み合わせるのが一般的である。
【００３９】
吸収コア14は、体の排泄物の処理作用を改善させるように設計された1つまたは複数の層を備える場合がある。
【００４０】
頂部シートおよびバックシートは一般に、その製品の面内に同様の伸長部を有し、その一方で吸収コア14は一般に、幾分これより小さい伸長部を有する。頂部シートとバックシートは、吸収コアの周辺部の周りで互いに結合され、その結果、コア14は、頂部シートとバックシートによって形成された封筒状の袋の中に封入される。吸収コアは、吸収パッドの中心に位置する。頂部シートとバックシートは、例えば超音波溶接、熱溶接または接着などの当分野で一般的な任意の手段によって、互いに結合されてよい。
【００４１】
用語「吸収パッド」は、おむつ、男性または女性の失禁防護カバー、パンツ式おむつなどで構成される群から選択された製品を意味するものとして理解すべきである。このようなパッドは、例えば血液、尿、汗または糞便などの体の浸出液を吸収する目的で使用される。
【００４２】
本発明の実施形態では、図2Aおよび図2Bに示されるように、吸収コア14はまた、吸収パッドの長手方向の中心線Y-Yおよび横方向の中心線X-Xの両方に沿って対称であるため、吸収コア14はまた、2つの長手方向半分の部分、すなわち第1の長手方向半分の部分11と、第2の長手方向の半分の部分12に分割される。コア14の厚さは、それが体の浸出液によって湿るまでは、横方向の中心線(横方向の中心線に対して直交するように測定される)から同一距離上でほぼ同一であることが重要である。製品が湿った後は、2つの長手方向半分の部分は、流体の吸収によって異なる厚さを有する可能性がある。
【００４３】
詳細には、吸収コアの2つの半分の部分が、異なる量の超吸収材(SAP)を含有することにより、コアの2つの半分の部分は、異なる吸収力を呈することになる。具体的には、第1の長手方向の半分の部分11は、第2の長手方向の半分の部分12より多量のSAPを含有するため、第1の半分の部分は、コアの第2の半分の部分より高い吸収力を呈する。
【００４４】
超吸収ポリマー材(SAP)の一部の例は、FAVOR SXM 9455(ドイツ、クレーフェルト、Evonic Stockhausen GmbHによる)、FAVOR SXM 9410 (ドイツ、クレーフェルト、Evonic Stockhausen GmbHによる)、Sanwet IM 930(日本、東京、San-Dia Polymersによる)、HySorb B 7160 S (ドイツ、ルートウィヒスハーフェン、BASFによる)および  HySorb R 7061(ドイツ、ルートウィヒスハーフェン、BASFによる)である。
【００４５】
特有の実施形態では、吸収コア14の第1の半分の部分と、第2の半分の部分に含有されるSAPの量はそれぞれ、第1の半分の部分と第2の半分の部分の吸収力の比率が80:20、60:40または55:45になるように設定される場合もある。
【００４６】
吸収パッド(パッドの第1の長手方向の半分の部分および第2の長手方向の半分の部分の両方を含めた)の吸収力は概ね、500から4000ml(Rothwell ISO 11941-1によって測定された)の範囲内である。
【００４７】
より具体的には、第1の長手方向の半分の部分が第2の長手方向の半分の部分より高い吸収力を有するという条件で、例えば第1の長手方向の半分の部分と第2の長手方向の半分の部分の吸収力の比率が80:20、詳細には60:40またはより詳細には55:45であり得るという条件で、第1の長手方向の半分の部分の吸収力は概ね、275から3200ml(Rothwell ISO 11941-1によって測定された)の範囲内であり、第2の長手方向の半分の部分の吸収力は概ね100から1800ml(Rothwell ISO 11941-1によって測定された)の範囲内である。所望の吸収力を得るために、好適な超吸収ポリマー材および必要とされるその量を選択することは、当業者の知識の範囲内である。
【００４８】
本明細書において、コア14に関して、用語「幾何学的に対称」とは、吸収コアが、X-Y面内に対称的な外形を有することだけでなく、コアの厚さが、コアが湿るまでは横方向の中心線X-Xから線X-Xに直交するように測定された同一距離上でほぼ同一であることも意味している。コアが湿った後、より高い吸収力を備えたコアの半分の部分が、より多くの流体を吸収することにより、コアの他の半分の部分より厚くなる可能性がある。
【００４９】
X-Y面内で「幾何学的に対称な」吸収コアは、製造工程における、特に吸収コアを圧縮する場合(圧延作用)の公差に起因してわずかに変動する可能性がある。本発明によると、X-Y面内の横方向の中心線X-Xから均等な垂直の距離上で測定された(X-X線においてミラーされた2つの半分の部分の地点を測定する)最大5%の寸法差は本発明の範囲内であり、かつコアは依然として幾何学的に対称であるとみなされる。
【００５０】
本明細書で使用される場合、「ほぼ同一の厚さ」は、最大5%の厚さの差を指している。
【００５１】
吸収パッドは、実質的に対称な構造体であるため、それは、前方/後方のいずれか一端がベルトに装着されて着用者に装着させることができる。この製品が使用される際、その向きにはいかなる制限も適用されず、対称的な配置によって、着用者に簡便さと快適さが提供される。
【００５２】
製品の2つの半分の部分が、異なる吸収力を有することにより、この製品は、例えば男性/女性が、彼/彼女の顔を下にして、あるいは背中を下にして眠るなど着用者の特有のニーズに合せて、その高い吸収力の半分の部分を前方向または後ろ方向に配置することによって、異なる場合に使用することができる。
【００５３】
吸収パッド2および吸収コア14の対称的な構造により、前方部分と後方部分を、すなわちより高い吸収力の半分の部分と、これより低い吸収力の半分の部分を一度見ただけで区別することはユーザにとっては通常難しいことである。このために、より高い吸収力を備える製品の半分の部分は、この半分の部分が、より高い吸収力の半分の部分であることをユーザに示す指示手段を備える場合がある。あるいは、指示手段は、より低い吸収力の半分の部分に設けられる場合もある。
【００５４】
指示手段は、視覚的指示手段または触覚的指示手段またはその両方を備える場合がある。視覚的指示手段は、文字、絵、商標などであってよく、これらはまた、製品に快い外観を与えることもできる。触覚的指示手段は、吸収パッドの外側の面に設けられた突出するまたはくぼんだ物体であってよい。それは盲目の人が、より高い吸収力の半分の部分をより低い吸収力の半分の部分から容易に区別することができるようにするのに極めて有用である。
【００５５】
本発明は、マジックテープ式の接続を介する、ベルトの2つの端部間の装着ならびにベルトと吸収パッド間の装着を示してきたが、例えば接着ストリップとランディングゾーン、スナップ嵌めなどの他の装着手段も使用することができる。
【００５６】
本発明の実施形態を上記に記載してきたが、本発明は、上記の実施形態に限定されるものではなく、特許請求の範囲の範囲内に記載される技術的概念の範囲内で、種々の変更および修正をその中で行なうことができる。
【符号の説明】
【００５７】
1  吸収製品
2  吸収パッド
3  ベルト
4、5  長手方向の端部
6、6'、6"  ストリップ
8、18  ベルトの側面
9、10  縁部
11  第1の長手方向の半分の部分
12  第2の長手方向の半分の部分
13  タブ
14  吸収コア
X-X  横方向の中心線
Y-Y  長手方向の中心線
【図１】
0005845348.tif 000002
【図２Ａ】
0005845348.tif 000003
【図２Ｂ】
0005845348.tif 000004
【図３】
0005845348.tif 000005